【手続補正書】
【提出日】平成24年10月25日(2012.10.25)
【手続補正１】
【補正対象書類名】特許請求の範囲
【補正対象項目名】全文
【補正方法】変更
【補正の内容】
【特許請求の範囲】
【請求項１】
充填剤入り硫黄加硫可能エラストマー組成物であって
（ｉ）少なくとも一つの硫黄加硫可能エラストマー；
（ｉｉ）少なくとも一つの微粒子充填剤；および
（ｉｉｉ）架橋に効果的な量の、硫黄加硫可能エラストマー（ｉ）の架橋剤としての、少なくとも一つの一般式：
Ｇ［−ＣａＨ２ａ−Ｓ［Ｃ（＝Ｏ）］ｂＲ］ｎ        （１）
の硫黄含有脂環式化合物であって、
ここでＧが：
５から１２個の炭素原子を含有し、任意選択で少なくとも一つのハロゲンを含有する、価数ｎの飽和した単環式の脂肪族基、ならびに
価数ｎの飽和した単環式のシリコーン［ＲＳｉＯ−］ｎ［Ｒ２ＳｉＯ−］ｐ
からなる群より選択され、
ここでそれぞれのＲが独立して水素または２０個までの炭素原子の一価の炭化水素であり；下付文字ａおよびｂの各々が独立して整数であり、ここでａが２から６であり、そしてｂが０もしくは１であり；ｐが０から３の整数であり；そしてｎが３から６の整数であり、但し、ｂが０であるときＲが水素原子であるという条件である、
を含有する、充填剤入り硫黄加硫可能エラストマー組成物。
【請求項２】
硫黄加硫可能エラストマー（ｉ）が、エチレン−プロピレンコポリマー（ＥＰ）、エチレン−プロピレンターポリマー（ＥＰＤＭ）、シス−１，４−ポリイソプレンゴム、エマルション重合調製スチレン／ブタジエンコポリマーゴム、有機溶液重合調製スチレン／ブタジエンゴム、３，４−ポリイソプレンゴム、イソプレン／ブタジエンゴム、スチレン／イソプレン／ブタジエンターポリマーゴム、シス−１，４−ポリブタジエンゴム、中程度のビニルポリブタジエンゴム、高ビニルのポリブタジエンゴム、スチレン／イソプレンコポリマー、エマルション重合調製のスチレン／ブタジエン／アクリロニトリルターポリマーゴム、ブタジエン／アクリロニトリルコポリマーゴム、２０から２８パーセントの結合スチレンというスチレン含量を持つエマルション重合調製スチレン／ブタジエン（ＥＳＢＲ）、ならびに３０から４５パーセントという中程度から比較的高い結合スチレン含量を持つＥＳＢＲからなる群より選択される少なくとも１種である、請求項１に記載の充填剤入り硫黄加硫可能エラストマー組成物。
【請求項３】
微粒子充填剤（ｉｉ）がシランを担持する不活性の多孔性充填剤およびシランと反応性の充填剤からなる群より選択される少なくとも１種であり、ここで充填剤が、硫黄加硫可能エラストマー（ｉ）と反応性である官能性を持つ少なくとも一つのシランと混合されている、請求項１に記載の充填剤入り硫黄加硫可能エラストマー組成物。
【請求項４】
不活性の多孔性充填剤がカーボンであり、シランと反応性である充填剤がシリカである、請求項３に記載の充填剤入り硫黄加硫可能エラストマー組成物。
【請求項５】
シランがシリル化コアポリスルフィドである、請求項３に記載の充填剤入り硫黄加硫可能エラストマー組成物。
【請求項６】
シランと反応性の充填剤がシランであり、かつ該シランがシリル化コアポリスルフィドである、請求項３に記載の充填剤入り硫黄加硫可能エラストマー組成物。
【請求項７】
硫黄含有脂環式化合物（ｉｉｉ）中のＧが、任意選択で少なくとも１個の塩素を含有しているシクロペンタン、シクロヘキサンもしくはシクロヘプタン基である、請求項１に記載の充填剤入り硫黄加硫可能エラストマー組成物。
【請求項８】
硫黄含有脂環式化合物（ｉｉｉ）が、−ＣａＨ２ａ−Ｓ(Ｃ＝Ｏ）ｂＲ基がＧ基と比較して赤道面の位置にあるような異性体が混合物の少なくとも５０重量パーセントを占めるような立体化学の混合物である、請求項１に記載の充填剤入り硫黄加硫可能エラストマー組成物。
【請求項９】
硫黄含有脂環式化合物（ｉｉｉ）中のそれぞれのＲが独立して、メチル、エチル、プロピル、イソプロピル、ブチル、２−エチルヘキシル、シクロヘキシル、シクロペンチル、フェニル、ベンジル、トリル、キシリルおよびメチルベンジルからなる群より選択される、請求項１に記載の充填剤入り硫黄加硫可能エラストマー組成物。
【請求項１０】
硫黄含有脂環式化合物（ｉｉｉ）が、２−［４，６−ビス−（２−メルカプト−エチル）−２，４，６−トリメチル−［１，３，５，２，４，６］トリオキサトリシリナン−２−イル］−エタンチオール、チオ酢酸２−［４，６−ビス−（２−アセチルスルファニル−エチル）−２，４，６−トリメチル−［１，３，５，２，４，６］トリオキサトリシリナン−２−イル］−エチルエステル、２−［３，４−ビス−（２−メルカプト−エチル）−シクロペンチル］−エタンチオール、２−［３，５，７−トリス−（２−メルカプト−エチル）−シクロオクチル］−エタンチオール、２−［３，４−ビス−（２−メルカプト−エチル）−シクロヘキシル］−エタンチオール、２−［３，５，７，９−テトラキス−（２−メルカプト−エチル）−シクロデシル］−エタンチオール、２−［３，４−ビス−（２−メルカプト−エチル）−シクロヘキシル］−エタンチオール、３−［３，４−ビス−（３−メルカプト−プロイル）−シクロヘキシル］−プロパンエチオール、６−［３，４−ビス−（６−メルカプト−ヘキシル）−シクロヘキシル］−ヘキサンチオール、８５重量パーセントの２−［シス，シス−３，４−ビス−（２−メルカプト−エチル）−シクロヘキシル］−エタンチオールと少なくとも５重量パーセントの２−［トランス，シス−３，４−ビス−（２−メルカプト−エチル）−シクロヘキシル］−エタンチオールとを含有する混合物、チオ酢酸Ｓ−｛２−［３，４−ビス−（２−アセチルスルファニル−エチル）−シクロペンチル］−エチル｝エステル、チオ酢酸Ｓ−｛２−［３，４−ビス−（２−アセチルスルファニル−エチル）−シクロヘキシル］−エチル｝エステル、チオ酢酸Ｓ−｛２−［３，５，７−トリス−（２−アセチルスルファニル−エチル）−シクロオクチル］−エチル｝エステル、チオ酢酸Ｓ−｛２−［３，５，７，９−テトラキス−（２−アセチルスルファニル−エチル）−シクロデシル］−エチル｝エステル、チオ酢酸Ｓ−｛３−［３，４−ビス−（３−アセチルスルファニル−プロピル）−シクロヘキシル］−プロピル｝エステル、チオ酢酸Ｓ−｛６−［３，４−ビス−（６−アセチルスルファニル−ヘキシル）−シクロヘキシル］−ヘキシル｝エステル、ならびに８５重量パーセントのチオ酢酸Ｓ−｛２−［シス，シス−３，４−ビス−（２−アセチルスルファニル−エチル）−シクロヘキシル］−エチル｝エステルと少なくとも５重量パーセントのチオ酢酸Ｓ−｛２−［トランス，シス−３，４−ビス−（２−アセチルスルファニル−エチル）−シクロヘキシル］−エチル｝エステルとの混合物からなる群より選択される少なくとも１種である、請求項１に記載の充填剤入り硫黄加硫可能エラストマー組成物。
【請求項１１】
請求項１に記載の組成物を硬化したもの。
【請求項１２】
ウェザー・ストリップ、ホース、ベルト、シール、ガスケットもしくは靴底として提供される、請求項１１に記載の組成物を硬化したもの。
【請求項１３】
一般式（１）：
Ｇ［−ＣａＨ２ａ−Ｓ［Ｃ（＝Ｏ）］ｂＲ］ｎ        （１）
の硫黄含有脂環式化合物であって、
ここでＧが：
５から１２個の炭素原子を含有し、任意選択で少なくとも一つのハロゲンを含有する、価数ｎの飽和した単環式の脂肪族基、ならびに
価数ｎの飽和した単環式のシリコーン［ＲＳｉＯ−］ｎ［Ｒ２ＳｉＯ−］ｐ
からなる群より選択され、
ここでそれぞれのＲが独立して水素または２０個までの炭素原子の一価の炭化水素であり；下付文字ａおよびｂの各々が独立して整数であり、ここでａが２から６であり、そしてｂが０もしくは１であり；ｐが０から３の整数であり；そしてｎが３から６の整数であり、但し、ｂが０であるときＲが水素原子であるという条件であり、そしてＧが６個の炭素原子のハロゲン化されていない、飽和した単環式の脂肪族基であるとき、ｎが３となり得ないという条件である、硫黄含有脂環式化合物。
【請求項１４】
Ｇが価数ｎの飽和した単環式のシリコーン［ＲＳｉＯ−］ｎ［Ｒ２ＳｉＯ−］ｐである、請求項１３に記載の硫黄含有脂環式化合物。
【請求項１５】
２−［４，６−ビス−（２−メルカプト−エチル）−２，４，６−トリメチル−［１，３，５，２，４，６］トリオキサトリシリナン−２−イル］−エタンチオール、チオ酢酸２−［４，６−ビス−（２−アセチルスルファニル−エチル）−２，４，６−トリメチル−［１，３，５，２，４，６］トリオキサトリシリナン−２−イル］−エチルエステル、２−［３，４−ビス−（２−メルカプト−エチル）−シクロペンチル］−エタンチオール、２−［３，５，７−トリス−（２−メルカプト−エチル）−シクロオクチル］−エタンチオール、２−［３，５，７，９−テトラキス−（２−メルカプト−エチル）−シクロデシル］−エタンチオール、チオ酢酸Ｓ−｛２−［３，４−ビス−（２−アセチルスルファニル−エチル）−シクロペンチル］−エチル｝エステル、チオ酢酸Ｓ−｛２−［３，５，７−トリス−（２−アセチルスルファニル−エチル）−シクロオクチル］−エチル｝エステル、チオ酢酸Ｓ−｛２−［３，５，７，９−テトラキス−（２−アセチルスルファニル−エチル）−シクロデシル］−エチル｝エステル、ならびにそれらの混合物からなる群より選択される、請求項１３に記載の硫黄含有脂環式化合物。
【請求項１６】
硫黄含有脂環式化合物（ｉｉｉ）がチオ酢酸Ｓ−｛６−［３，４−ビス−（６−アセチルスルファニル−ヘキシル）−シクロヘキシル］−ヘキシル｝エステルである、請求項１０に記載の充填剤入り硫黄加硫可能エラストマー組成物。
【請求項１７】
硫黄含有脂環式化合物（ｉｉｉ）が、−ＣａＨ２ａ−Ｓ(Ｃ＝Ｏ）ｂＲ基がＧ基と比較して赤道面の位置にあるような異性体が混合物の少なくとも５０重量パーセントを占めるような立体化学の混合物である、請求項１に記載の充填剤入り硫黄加硫可能エラストマー組成物。
【請求項１８】
硫黄含有脂環式化合物（ｉｉｉ）が８５重量パーセントのチオ酢酸Ｓ−｛２−［シス，シス−３，４−ビス−（２−アセチルスルファニル−エチル）−シクロヘキシル］−エチル｝エステルと少なくとも５重量パーセントのチオ酢酸Ｓ−｛２−［トランス，シス−３，４−ビス−（２−アセチルスルファニル−エチル）−シクロヘキシル］−エチル｝エステルとの混合物である、請求項１０に記載の充填剤入り硫黄加硫可能エラストマー組成物。